(57)【要約】      （修正有）【課題】りん本体を打りんした際に音色に特色があるりん棒及びそれを用いたりん具を提供する。【解決手段】りん本体を打りんするためのりん棒２０であって、りん棒２０は把持部２２と、打りんする際にりん本体に接触する打撃部２１とを有し、打撃部２１は樹脂製であり、りん本体を打りんした際に発生する音を音圧ピークチャート解析すると、３次ピーク以降の音圧ピーク高さが低く抑えられている。【選択図】図１２
2014131562.tif 000002
【特許請求の範囲】
【請求項１】
りん本体を打りんするためのりん棒であって、
りん棒は把持部と、打りんする際にりん本体に接触する打撃部とを有し、打撃部は樹脂製であり、
りん本体を打りんした際に発生する音を音圧ピークチャート解析すると、３次ピーク以降の音圧ピーク高さが低く抑えられていることを特徴とするりん棒。
【請求項２】
前記音圧ピークチャート解析にて、１次又は２次の音圧ピークが最も高くなっていることを特徴とする請求項１記載のりん棒。
【請求項３】
前記りん棒は、棒状の把持部の先に把持部よりも外径が大きい打撃部を有し、
前記打撃部は底部に芯金部を有し、金型内に前記芯金部を配置し、当該芯金部の底面が外部に露出するように打撃部及び把持部を射出成形することで、りん棒をインサート成形したことを特徴とする請求項１又は２記載のりん棒。
【請求項４】
前記芯金部は底部側より内部側に抜け止め部を有することを特徴とする請求項３記載のりん棒。
【請求項５】
前記打撃部の重心が外形中心に対して偏心していることを特徴とする請求項１〜４のいずれかに記載のりん棒。
【請求項６】
りん本体と請求項１〜５のいずれかに記載のりん棒とをセットにしたことを特徴とするりん具。
【発明の詳細な説明】
【技術分野】
【０００１】
本発明は、仏事等において使用される宗教用具用のりん具に関する。
【背景技術】
【０００２】
金属製のりん本体をりん棒を用いて打りんするりん具は、仏事等において広く使用されている。
この種のりん具は、お寺等で使用される大型のりん本体のものから、家庭で使用される小型のりん本体のものまで大小様々である。
近年は仏壇等が小型化し、それに伴いりん具も小型化されている。
りん本体の形状も、りん座布団に載置する椀形状のものや、下向きに開口させた釣鐘形状のもの等、各種形状が提案されている。
仏事等においてりん具は、厳粛さと、清澄さとを兼ね備えた音色が要求されるが、これまで提案されているりん具は、りん本体の振動及び共鳴による音色の他にりん棒がりん本体に当たる打撃音等、りん本体の音色とは異なる雑音が混在する問題があった。
特許文献１には、りん本体の内側に共振箱を設けたりん具を開示するが、共振箱は残響効果が得られても雑音を少なくする作用はない。
【先行技術文献】
【特許文献】
【０００３】
【特許文献１】特開２０１２−８１１９３号公報
【特許文献２】特許第４９０４０４４号公報
【発明の概要】
【発明が解決しようとする課題】
【０００４】
本発明は、りん本体を打りんした際に音色に特色があるりん棒及びそれを用いたりん具の提供を目的とする。
【課題を解決するための手段】
【０００５】
本発明に係るりん棒は、りん本体を打りんするためのりん棒であって、りん棒は把持部と、打りんする際にりん本体に接触する打撃部とを有し、打撃部は樹脂製であり、りん本体を打りんした際に発生する音を音圧ピークチャート解析すると、３次ピーク以降の音圧ピーク高さが低く抑えられていることを特徴とする。
ここで、音圧ピークチャート解析にて、１次又は２次の音圧ピークが最も高くなっているのが好ましい。
りん本体を打りんすることで発生する音を横軸に周波数をとり、縦軸に音圧を指標にしたチャートをとると、特定の周波数の音圧が高くなるチャートが得られる。
本発明で１次、２次、３次等の音圧ピークとは低周波数側から順次発生するシャープなピークの順をいう。
従って、りん本体の特有の振動ではない、なだらかな音圧変化を示す部分や、０．５ｋＨｚ以下のノイズと思われる部分を除いてカウントする。
また、３次ピーク以降の音圧ピークの高さが抑えられているとは、従来の木製のりん棒で打りんすると発生する３次以降の音圧ピーク高さ（１次、２次と比較した相対的高さ）に対して、本発明のりん棒に係る対応する３次、４次、・・・等の高次のピークの高さが低くなっていることをいう。
本発明に係るりん棒は、りん本体が有する固有振動数（ｆ）に適合した接触時間（Ｓ）を有する。
ここで、りん本体が有する固有振動数（ｆ）に適合した接触時間（Ｓ）を有するとは、使用者がりん棒の把持部を持って、このりん棒の打撃部をりん本体の側壁等に打ち付けると、打撃部のりん本体との接触面の材質の物性により接触時間が概ね一定であることから、りん本体が有する固有振動数（ｆ）に合致した振動以外の振動を与えないようにりん棒の打撃部の材質を選定することをいう。
より具体的には、前記りん本体が有する固有振動数（ｆ）に適合した打撃部の接触時間（Ｓ）は、１次モードの固有振動数（ｆ）の周期（Ｔ）の１／４以上で２倍以下であるようにするのが好ましい。
本発明において打撃部を樹脂製にしたのは、次の理由による。
従来の黒檀等の木製のりん棒（打撃部）では、りん本体を叩いた際にりん本体の振動音以外の耳障りな雑音が多い問題があったのに対して、打撃部を樹脂製にするとこの雑音が減った。
【０００６】
りん棒としては、本出願人が先に提案している特許文献２に開示するような自立型（スタンド型）のりん棒でもよい。
この場合に生産性が高い方法として、前記りん棒は、棒状の把持部の先に把持部よりも外径が大きい打撃部を有し、前記打撃部は底部に芯金部を有し、金型内に前記芯金部を配置し、当該芯金部の底面が外部に露出するように打撃部及び把持部を射出成形することで、りん棒をインサート成形することもできる。
このように打撃部の底部から内部に埋設した芯金部を有することにより、芯金部が打りん時におもりとして作用し、その周囲の樹脂層の反発力により、りん本体を叩くことになる。
これにより、従来の木のりん棒では得られない音色となる。
また、本発明では芯金部を樹脂製の打撃部にインサート成形にて埋設することから、芯金部の底部よりも内部側に抜け止め部を設けることができ、芯金部の脱落を防止できる。
抜け止め部は芯金部の外径を底部側より内部側を大きくしたり、埋設側部に凹凸部を設けることが例として挙げられる。
また、本発明に係るりん棒は、打撃部の重心が外形中心に対して偏心していてもよい。
重心が偏心していると、りん棒の打りんする位置を変えることで打音が変化する。
【発明の効果】
【０００７】
本発明に係るりん棒は、３次ピーク以降の音の発生を抑えたので優れた音色が得られ、りん本体の本来の音色に近い音が鳴り雑音が少ない。
【図面の簡単な説明】
【０００８】
【図１】打撃部の材質に対する接触時間の測定結果を示す。
【図２】打撃部の材質が木の場合の衝撃力波形を示す。
【図３】打撃部の材質がポリカーボネートＡの場合の衝撃力波形を示す。
【図４】打撃部の材質がポリカーボネートＢの場合の衝撃力波形を示す。
【図５】打撃部の材質がポリプロピレンＡの場合の衝撃力波形を示す。
【図６】打撃部の材質がポリプロピレンＢの場合の衝撃力波形を示す。
【図７】りん本体が（大）の場合の音圧チャートを示す。
【図８】りん本体が（中）の場合の音圧チャートを示す。
【図９】りん本体が（小）の場合の音圧チャートを示す。
【図１０】音圧と時間経過の三次元チャートを示す。（ａ）は本発明に係るりん棒を用いたものを示し、（ｂ）は木又は硬い樹脂のりん棒を用いたものを示す。
【図１１】りん本体の形状例を示す。
【図１２】りん棒の構造例を示す。
【図１３】りん棒の構造例を示す。
【図１４】りん棒の成形例を示す。
【図１５】りん棒の成形例を示す。
【図１６】重心を偏心させたりん棒の例を示し、（ａ）はおもりの位置を中心から横にずらした例、（ｂ）は打撃部の外形中心を偏心させた例を示す。
【発明を実施するための形態】
【０００９】
各種大きさのりん本体１０に対して、各種材質で製作したりん棒２０の組み合せを用いて、打りん時の接触時間（Ｓ）及び音圧（Ｐａ）分布を測定したので以下説明する。
図１０にりん本体１０の形状を示す。
測定に用いたりん本体は（大），（中），（小）の３種類であり、（大）は開口部の内径ｄ１＝１００ｍｍ，（中）はｄ２＝５５ｍｍ，（小）はｄ３＝３５ｍｍである。
材質は真鍮である。
【００１０】
測定に用いたりん棒２０の形状を図１１及び図１２に示す。
りん棒２０は細長い棒状の把持部２２の先に拡径した略球状の打撃部２１を有し、打撃部２１の先端側（底部側）に真鍮等の金属製からなる芯金部２３を埋設してあり、起き上がりこぼしのように自立型のりん棒になっている。
りん棒２０の全長は約７０ｍｍ，把持部外径約３ｍｍ，打撃部２１の外径は軸心廻りにて約２０ｍｍである。
芯金部は、外径約１０ｍｍ，高さ約８ｍｍの真鍮製で底面に孔部２３ａを有する例になっている。
りん棒２０の材質としては黒檀からなる木製のものと後述するようにインサート成形した樹脂製のものを試作評価した。
りん棒２０の把持部２２と打撃部２１を芯金部２３を鋳ぐるむようにインサート成形したものとしては、ポリカーボネートＡ（硬度ロックウェルＲ＝約１２０），ポリカーボネートＢ（硬度ロックウェルＲ＝約１１０），ポリプロピレンＡ（硬度ロックウェルＲ＝約１００），ポリプロピレンＢ（硬度がゴム弾性に近いもの）の４種類を作成した。
【００１１】
上記木製１点、樹脂製４点のりん棒を用いてアルミ板からなる検力計表面に衝撃値が１０Ｎ，２０Ｎ，３０Ｎにそれぞれなるように叩き、その際の衝撃力波形を図２〜６に示し、このグラフから求めた接触時間を図１の表に示す。
図１の表から分かるように衝撃値を変化させても接触時間Ｓに大きな差がないが打撃部の材質により、それぞれ所定の接触時間Ｓとなった。
【００１２】
木製のものと樹脂製のものを比較すると、明らかに樹脂製のものの方が打りん時の雑音が少なかった。
そこで、次に硬度の違う上記４つの樹脂製のりん棒を用いて、図１１に示したりん本体（大），（中），（小）を叩いたときの音圧チャートを測定し、それを図７〜９に示す。
音圧チャートは横軸に周波数（Ｈｚ）を示し、縦軸は発生した音圧（Ｐａ）の値を示す。
りん本体が（大）のものは図７に示すように、１次ピーク：約８００〜９００Ｈｚ，２次ピーク：１８００Ｈｚを示し、（ａ）のりん棒がポリカーボネートＡ（接触時間５７０μｓ）のものは３次以降の複数のピークが出現している。
これに対して、（ｂ）りん棒がポリカーボネートＢ，（ｃ）りん棒がポリプロピレンＡのものは１次ピーク，２次ピークの出現割合が多く、（ｄ）りん棒がポリプロピレンＢ（接触時間１０２０〜１１９０μｓ）のものは１次ピークの割合が特に大きくなっている。
１次ピークは周波数８００〜９００Ｈｚであるから、その周期はＴ＝１１１０μｓ〜１２５０μｓである。
従って、ポリプロピレンＢの接触時間１０２０〜１１９０μｓに近い値である。
【００１３】
同様にりん本体が（中）の場合の音圧ピークチャートを図８に示す。
１次ピークが約２０００Ｈｚ，２次ピークが約５０００Ｈｚ付近に現れている。
周波数が２０００Ｈｚの場合にその周期はＴ＝５００μｓとなる。
図８の（ａ）〜（ｃ）は雑音が少ないが、（ｄ）に示すポリプロピレンＢは接触時間が１０２０〜１１９０μｓと周期Ｔの２倍以上なので、多くの雑音が混在していた。
【００１４】
同様にりん本体が（小）の場合の音圧チャートを図９に示す。
１次ピークが約４２００Ｈｚ，２次ピークが約１１０００Ｈｚ付近に現れている。
周波数４２００Ｈｚは周期Ｔ＝約２４０μｓとなる。
りん棒の材質がポリカーボネートＡ，Ｂの場合には比較的に雑音が少ないが、ポリプロピレンＡ，Ｂは雑音が非常に多い。
りん本体が（小）の場合に１次ピークの周期Ｔの値が約２４０μｓとこれよりも接触時間が２倍以上のりん棒（ポリプロピレンＡ，Ｂ）は雑音が多いことが明らかになった。
【００１５】
このようにりん棒を従来の木製から樹脂製に替えると雑音が減り、樹脂の硬さを変えても音圧チャートに出現するピークが変化する。
そこで、音圧ピークの経時的変化を調査し、図１０に音圧ピークチャートを示す。
（ａ）はりん本体（大）に対して、ポリプロピレンＢのりん棒を用いたものであり、（ｂ）は同じりん本体（大）に対してポリカーボネートＡよりさらに硬い樹脂のりん棒を用いたものである。
（ａ）と（ｂ）を比較すると明らかなようにポリプロピレンＢからなるりん棒は、３次ピーク以降の音圧ピークが抑えられている。
【００１６】
次に本発明に係るりん棒２０の製作例を説明する。
図１４に金型構造を模式的に示す。
金型１，２を上下に配置し、打撃部２１側には固定板３を有する。
固定板３にはボス部３ａを形成し、芯金部２３の孔部２３ａをこのボス部３ａに装着する。
この状態で金型１，２が閉じると、図１４（ｃ）に示すようにキャビティ４が形成され、ランナー５から樹脂が射出される。
図１５に示すようにインサート成形したりん棒２０は金型１，２を開き、芯金部２３とともに取り出される。
このように芯金部２３を埋設するようにインサート成形したので、例えば図１３に示すように芯金部２３の底部側の外径ｄ０よりも内部側の外径ｄ１を大きくしたテーパー側面状にすることで抜け止めとなる。
また、本発明に係るりん棒は、図１６（ａ）に示すように芯金部２３を打撃部２１ａの中心より偏心させてもよく、（ｂ）に示すように芯金部２３は把持部２２の中心線に沿って設けてあるが、打撃部２１ｂの外形を偏心させたものでもよい。
このようにすると、りん棒のりん本体部を打つ位置を変えることで、音色に変化が生じる。
【符号の説明】
【００１７】
２０      りん棒
２１      打撃部
２２      把持部
２３      芯金部
【図１】
2014131562.tif 000003
【図１１】
2014131562.tif 000004
【図１２】
2014131562.tif 000005
【図１３】
2014131562.tif 000006
【図１４】
2014131562.tif 000007
【図１５】
2014131562.tif 000008
【図１６】
2014131562.tif 000009
【図２】
2014131562.tif 000010
【図３】
2014131562.tif 000011
【図４】
2014131562.tif 000012
【図５】
2014131562.tif 000013
【図６】
2014131562.tif 000014
【図７】
2014131562.tif 000015
【図８】
2014131562.tif 000016
【図９】
2014131562.tif 000017
【図１０】
2014131562.tif 000018